(57)【特許請求の範囲】
【請求項１】
カード状記憶媒体に情報の書き込み、またはカード状記憶媒体に記録された情報を読み取る第１の記憶媒体装着部と、
ディスク状記憶媒体に情報の書き込み、またはディスク状記憶媒体に記録された情報を読み取る第２の記憶媒体装着部と、
前記カード状記憶媒体を収納するカード状記憶媒体収納部と、
が一体的に設けられ、
前記カード状記憶媒体収納部は、前記第１の記憶媒体装着部と同一平面内に設けられ、且つ前記第２の記憶媒体装着部と異なる平面に位置するように設けられ、さらに前記カード状記憶媒体収納部に対する前記カード状記憶媒体の挿入方向が前記第１の記憶媒体装着部に対する前記カード状記憶媒体の挿入方向と異なる方向となるように設けられたことを特徴とする記録再生装置。
【請求項２】
前記請求項１記載の記録再生装置であって、
前記カード状記憶媒体収納部は、前記カード状記憶媒体が挿入された記憶媒体収納ケースを収納することを特徴とする記録再生装置。
【請求項３】
前記請求項２記載の記録再生装置であって、
前記カード状記憶媒体収納ケースは、
前記カード状記憶媒体が載置される第１の載置部と、
前記カード状記憶媒体が載置される第２の載置部と、
前記第１の載置部と前記第２の載置部との間を結合するヒンジと、
該ヒンジを撓ませて前記第１の載置部と前記第２の載置部とを対向させた状態で前記第１の載置部と前記第２の載置部とを相互に係止する係止部と、
を備えてなり、前記第１の載置部、前記第２の載置部、前記ヒンジ、前記係止部を合成樹脂材により一体成形したことを特徴とする記録再生装置。
【請求項４】
前記請求項３記載の記録再生装置であって、
前記カード状記憶媒体収納ケースは、
前記第１の載置部と前記第２の載置部とを対向させた状態で係止するとき、前記カード状記憶媒体のアクセス部が互いに対向しない向きの載置させるよう前記カード状記憶媒体の向きを規制する規制部を前記第１の載置部及び第２の載置部に設けたことを特徴とする記録再生装置。
【請求項５】
前記請求項３記載の記録再生装置であって、
前記カード状記憶媒体収納ケースは、
前記第１の載置部及び前記第２の載置部の前記カード状記憶媒体のアクセス部から外れた位置にカード状記憶媒体収納を取り出すための開口を設けたことを特徴とする記録再生装置。
【発明の詳細な説明】
【０００１】
【発明の属する技術分野】
本発明は、カード状記憶媒体を収納可能とされた記録再生装置に関する。
【０００２】
【従来の技術】
例えば、デジタルカメラでは、カードメモリ（カード状記憶媒体）に画像のデジタル情報を記憶するようになっている。このカードメモリは、パーソナルコンピュータに接続されたカードリーダに差し込むことにより、デジタルカメラにより記憶された画像のデジタル情報をパーソナルコンピュータに転送することができる。そして、パーソナルコンピュータは、取り込まれた画像をディスプレイに表示させたり、あるいはプリンタで印刷させることが可能になる。
【０００３】
【発明が解決しようとする課題】
ところが、従来は、デジタルカメラから取り出されたカードメモリを袋状ケースに挿入するか、あるいは合成樹脂製のハードケースに収納させて保管していた。しかしながら、袋状ケースの場合、薄くて小さいので、他の物に隠れて紛失しやすく、ハードケースの場合、開閉蓋を有し２部材を組み合わせた構成であるのでコストが高価であった。
【０００４】
さらに、ＦＤＤ（可撓性ディスク装置）がコネクタを介して外付けとなる薄型化されたノート型パーソナルコンピュータの場合、ＦＤＤとは別にカードメモリに記憶されたデジタル情報を読み取るためのカードリーダを外付けする必要がある。そのため、ノート型パーソナルコンピュータに接続されるケーブル数が増加して扱いにくくなると共に、操作性が悪いといった問題がある。
【０００５】
さらに、デジタルカメラに装着されたカードメモリの他に予備のカードメモリがある場合、予備のカードメモリを紛失しやすかった。
そこで、本発明は上記問題を解決した記録再生装置を提供することを目的とする。
【０００６】
【課題を解決するための手段】
上記課題を解決するため、本発明は以下のような特徴を有する。
上記請求項１記載の発明は、カード状記憶媒体に情報の書き込み、またはカード状記憶媒体に記録された情報を読み取る第１の記憶媒体装着部と、
ディスク状記憶媒体に情報の書き込み、またはディスク状記憶媒体に記録された情報を読み取る第２の記憶媒体装着部と、
前記カード状記憶媒体を収納するカード状記憶媒体収納部と、
が一体的に設けられ、
前記カード状記憶媒体収納部は、前記第１の記憶媒体装着部と同一平面内に設けられ、且つ前記第２の記憶媒体装着部と異なる平面に位置するように設けられ、さらに前記カード状記憶媒体収納部に対する前記カード状記憶媒体の挿入方向が前記第１の記憶媒体装着部に対する前記カード状記憶媒体の挿入方向と異なる方向となるように設けられたことを特徴とする記録再生装置である。
【０００７】
従って、請求項１記載の発明によれば、カード状記憶媒体が装着される第１の記憶媒体装着部とディスク状記憶媒体が装着される第２の記憶媒体装着部とカード状記憶媒体収納部とが一体的に設けられているので、パーソナルコンピュータに接続されるケーブル数を削減できると共に、操作性を改善することができる。さらに、カード状記憶媒体を収納することが可能であるので、カード状記憶媒体の紛失も防止できる。また、カード状記憶媒体収納部及び第１の記憶媒体装着部が第２の記憶媒体装着部に対し立体的な配置に設けられているので、コンパクトな構成になっている。
【０００８】
また、請求項２記載の発明は、前記請求項１記載の記録再生装置であって、
前記カード状記憶媒体収納部は、前記カード状記憶媒体が挿入された記憶媒体収納ケースを収納することを特徴とするものである。
従って、請求項２記載の発明によれば、カード状記憶媒体が挿入された記憶媒体収納ケースがカード状記憶媒体収納部に収納される構成であるので、カード状記憶媒体が破損しないように安全に収納できる。
【００１０】
また、請求項３記載の発明は、前記請求項２記載の記録再生装置であって、
前記カード状記憶媒体収納ケースは、
前記カード状記憶媒体が載置される第１の載置部と、
前記カード状記憶媒体が載置される第２の載置部と、
前記第１の載置部と前記第２の載置部との間を結合するヒンジと、
該ヒンジを撓ませて前記第１の載置部と前記第２の載置部とを対向させた状態で前記第１の載置部と前記第２の載置部とを相互に係止する係止部と、
を備えてなり、
前記第１の載置部、前記第２の載置部、前記ヒンジ、前記係止部を合成樹脂材により一体成形したことを特徴とするものである。
【００１１】
従って、請求項３記載の発明によれば、第１の載置部、第２の載置部、ヒンジ、係止部が合成樹脂材により一体成形されているので、部品点数が削減されてコストを安価に抑えることができる。
また、請求項４記載の発明は、前記請求項３記載の記録再生装置であって、
前記カード状記憶媒体収納ケースは、
前記第１の載置部と前記第２の載置部とを対向させた状態で係止するとき、前記カード状記憶媒体のアクセス部が互いに対向しない向きの載置させるよう前記カード状記憶媒体の向きを規制する規制部を前記第１の載置部及び第２の載置部に設けたことを特徴とするものである。
【００１２】
従って、請求項４記載の発明によれば、第１の載置部及び第２の載置部に載置されたカード状記憶媒体のアクセス部が互いに対向しない位置で収納されるため、収納時にアクセス部が損傷することを防止できる。
また、請求項５記載の発明は、前記請求項３記載の記録再生装置であって、
前記カード状記憶媒体収納ケースは、
前記第１の載置部及び前記第２の載置部の前記カード状記憶媒体のアクセス部から外れた位置にカード状記憶媒体収納を取り出すための開口を設けたことを特徴とするものである。
【００１３】
従って、請求項５記載の発明によれば、第１の載置部及び第２の載置部の前記カード状記憶媒体のアクセス部から外れた位置にカード状記憶媒体収納を取り出すための開口を設けたため、アクセス部を傷つけることなくカード状記憶媒体収納を取り出すことができる。
【００１４】
【発明の実施の形態】
以下図面と共に本発明の実施の形態について説明する。
図１（Ａ）〜（Ｄ）は本発明になる記録再生装置の一実施例を示す背面図、平面図、正面図、側面図である。
図１（Ａ）〜（Ｄ）に示されるように、記録再生装置１０は、同一の筐体１２にメモリカード（カード状記憶媒体）が装着されるカードリーダ（第１の記憶媒体装着部）１４と、可撓性磁気ディスク（ディスク状記憶媒体）のディスクカートリッジが装着される磁気ディスク装置（第２の記憶媒体装着部）１６と、メモリカードが挿入されるメモリカード収納ケース１７を収納するカード状記憶媒体収納部１８と、が一体的に設けられている。
【００１５】
筐体１２の前面１２ａには、カードリーダ１４のカード挿入口１４ａと、磁気ディスク装置１６のカートリッジ挿入口１６ａとが設けられている。このカード挿入口１４ａとカートリッジ挿入口１６ａとは、共にＸ方向に延在するように形成されている。また、カードリーダ１４と磁気ディスク装置１６とは、異なる高さ位置に配置されるように立体的に設けられており、カード挿入口１４ａがカートリッジ挿入口１６ａの下方に位置するように配置されている。
【００１６】
尚、カートリッジ挿入口１６ａは、カートリッジ挿入により内側に回動するフラップ１６ｂにより閉塞されており、カートリッジ挿入口１６ａの上部にはイジェクト釦１６ｃが設けられている。
また、筐体１２の背面１２ｂには、メモリカードが収納されたメモリカード収納ケース１７を保管するカード状記憶媒体収納部１８と、ＵＳＢコネクタ１９が設けられている。このカード状記憶媒体収納部１８は、前後方向（Ｙ方向）に延在しており、カードリーダ１４の後方の開いているスペースに設置され、且つ、磁気ディスク装置１６の下方に位置するように設けられている。
【００１７】
すなわち、カード状記憶媒体収納部１８は、カードリーダ１４と同一平面に配置され、磁気ディスク装置１６と異なる平面に位置するように配置されている。このように記録再生装置１０では、カードリーダ１４及びカード状記憶媒体収納部１８が磁気ディスク装置１６と立体的に配設されているので、よりコンパクトな構成となっている。
【００１８】
また、メモリカードが収納されたメモリカード収納ケース１７は、筐体１２内に形成されたカード状記憶媒体収納部１８に収納されて記録再生装置１０と一体化されるため、メモリカードを安全に保管することができ、メモリカードの紛失を防止できる。
図２はメモリカード収納ケースが引き出された状態のカード状記憶媒体収納部１８を示す平面図である。また、図３はメモリカード収納ケースがカード状記憶媒体収納部１８に挿入された収納状態を示す平面図である。
【００１９】
図２に示されるように、カード状記憶媒体収納部１８は、メモリカード収納ケース１７の挿入を両側からガイドする一対の挿入ガイド部１８ａと、挿入ガイド部１８ａの入口１８ｂに設けられた一対のケース係止孔１８ｃとを有する。
また、筐体１２の右側面には、半円形状の凹部１８ｄが設けられている。この凹部１８ｄは、カード状記憶媒体収納部１８に装着されたメモリカード収納ケース１７を引き出す際に爪やクリップ等を引っ掛かけて容易にメモリカード収納ケース１７の係止を解除することができるように形成されている。
【００２０】
図３に示されるように、メモリカード収納ケース１７は、カード状記憶媒体収納部１８の挿入ガイド部１８ａに沿って挿入された後、一対のケース係止孔１８ｃに嵌合係止されて脱落を防止される。
また、メモリカード収納ケース１７から取り出されたメモリカード２０は、筐体１２の前面１２ａに開口するカードリーダ１４のカード挿入口１４ａに挿入されて記憶された画像のデジタル情報を読み取られる。
【００２１】
また、磁気ディスク装置１６のカートリッジ挿入口１６ａにディスクカートリッジ（図示せず）が挿入されると、ディスクカートリッジ内の可撓性磁気ディスクに情報の読み込み、または書き込みを行う。
そして、記録再生装置１０は、ケーブル及びコネクタ（共に図示せず）を介してパーソナルコンピュータに接続されており、カードリーダ１４または磁気ディスク装置１６で読み取られた情報がパーソナルコンピュータに転送される。
【００２２】
ここで、上記メモリカード収納ケース１７及びメモリカード２０について説明する。
図４（Ａ）（Ｂ）はメモリカード２０の下面、上面を示す斜視図である。
図４（Ａ）（Ｂ）に示されるように、メモリカード２０は、下面２０ａにアクセス部２２を有し、上面２０ｂは、平面状に形成されている。
【００２３】
このアクセス部２２は、導電材により形成された複数の電極２２1 〜２２n からなり、カードリーダ１４内に挿入されると、通信用端子（図示せず）が接触して電気的に接続される。
また、メモリカード２０は、カードリーダ１４内に設けられた係合部に係合して挿入方向が一定の向きに規制される被係合部としての傾斜部２０ｃが設けられている。この傾斜部２０ｃは、アクセス部２２を下にしてカードリーダ１４内に挿入された場合、カードリーダ１４内に設けられた傾斜突起（図示せず）に当接してメモリカード２０の挿入が可能になる。
【００２４】
しかし、アクセス部２２を下にしてカードリーダ１４内に挿入された場合、メモリカード２０の角部がカードリーダ１４内に設けられた傾斜突起に当接してメモリカード２０の挿入が阻止される。
図５はメモリカード収納ケース１７の展開状態を示す斜視図である。また、図６（Ａ）（Ｂ）は、メモリカード収納ケース１７の展開状態を示す平面図、側面図である。
【００２５】
図５及び図６（Ａ）（Ｂ）に示されるように、メモリカード収納ケース１７は、弾性を有する合成樹脂材（例えば、シリコンゴム等）により一体成形されており、メモリカード２０が載置される第１、第２のカバー部２４，２６と、一対のカバー部２４，２６を連結するヒンジ２８と、一対のカバー部２４，２６を対向させた状態で一対のカバー部２４，２６を相互に係止する係止部３０とを備えてなる。このように、メモリカード収納ケース１７は、一つの部材からなるため、部品点数が削減され、製造コストも安価に抑えられている。
【００２６】
第１、第２のカバー部２４，２６は、夫々メモリカード２０の形状に対応する凹部が形成されたカード載置部３２，３４と、カード載置部３２，３４の外周を四方向から囲むように形成された縁部３６，３８と、カード載置部３２，３４に設けられメモリカード２０の傾斜部２０ｃに対応してメモリカード２０の向きを規制する傾斜部４０，４２とを有する。
【００２７】
また、カード載置部３２，３４には、メモリカード２０のアクセス部２２を保護するための平面部３２ａ，３４ａと、アクセス部２２から外れた位置に設けられた円形の開口３２ｂ，３４ｂとが設けられている。この開口３２ｂ，３４ｂは、カード載置部３２，３４に載置されたメモリカード２０を取り出す際に指を挿入するためのものであり、アクセス部２２から離間した位置に設けられているので、アクセス部２２を傷つけることなくメモリカード２０を簡単に取り出せる。
【００２８】
また、縁部３６の後端には、係止部３０を構成する係止突部４４ａ，４４ｂが設けられ、縁部３６の前端には係止孔４６ａ，４６ｂが設けられている。また、縁部３８の前端には、係止部３０を構成する係止突部４４ｃ，４４ｄが設けられ、縁部３８の後端には係止孔４６ｃ，４６ｄが設けられている。
尚、係止突部４４ａ〜４４ｄは、外周がテーパ状に形成されており、先端部分が基端部分よりも若干大径になっているので、係止孔４６ａ〜４６ｄに嵌合させると抜けにくく、カバー部２４，２６を互いに対向させた状態で係止できる。従って、係止突部４４ａ〜４４ｄと係止孔４６ａ〜４６ｄとにより係止部３０が構成されている。
【００２９】
また、カバー部２６の端部には、円弧状凹部２６ａが設けられている。この円弧状凹部２６ａは、メモリカード収納ケース１７に収納されたメモリカード２０を取り出す際、爪またはクリップ等を引っ掛けて上記のように嵌合された係止突部４４ａ〜４４ｄと係止孔４６ａ〜４６ｄとを簡単に分離させることができる。
尚、ヒンジ２８は、比較的薄く形成されているので、容易に撓ませることができ、カバー部２４，２６を互いに対向するように折り返すことができる。
【００３０】
また、カバー部２４の前端には、カード状記憶媒体収納部１８の入口１８ｂの形状に対応する把手４８が設けられている。この把手４８は、輪郭形状が筐体１２の背面１２ｂの形状と同じ曲面に形成されており、メモリカード収納ケース１７がカード状記憶媒体収納部１８に装着された状態で筐体１２の背面１２ｂから突出しないように形成されている。
【００３１】
さらに、把手４８の両端には、前述した筐体１２のケース係止孔１８ｃに嵌合される係止突部４８ａ，４８ｂが設けられている。また、把手４８の筐体１２の右側面に位置する端部４８ｃは、外側に膨らむように形成された半円形状の膨出部４８ｄを有する。この膨出部４８ｄは、前述した凹部１８ｄと対向する位置に設けられており、係止突部４８ａ，４８ｂをケース係止孔１８ｃから離間させる際の分離操作を容易にしている。
【００３２】
尚、把手４８は、筐体１２の角部の形状に合わせた曲線で形成されているため、左右非対称であり、且つ把手４８の両端に設けられた係止突部４８ａ，４８ｂの突出位置が段違いである。そのため、メモリカード収納ケース１７は、カード状記憶媒体収納部１８に挿入する際、上面と下面を逆向きにしても係止突部４８ａ，４８ｂが筐体１２のケース係止孔１８ｃに嵌合できないので、誤った向きでの装着が防止される。
【００３３】
また、カード載置部３２，３４の周囲を囲む縁部３６，３８の内壁は、テーパ状に傾斜しており、カード載置部３２，３４の平面部３２ａ，３４ａで末広がりとなるあり溝形状に形成されている。これにより、後述するようにカード載置部３２，３４に載置されたメモリカード２０の縁部が縁部３６，３８の傾斜内壁に当接してメモリカード２０の脱落が防止される。
【００３４】
尚、メモリカード収納ケース１７は、弾性を有するため、一対のカバー部２４，２６が係止部３０により対向した状態で係止されると、平面部３２ａ，３４ａ及び縁部３６，３８がメモリカード２０を押圧した状態で安定的に保持することができる。また、カード載置部３２，３４に装着されたメモリカード２０を取り出す際は、メモリカード２０を保持している縁部３６，３８をめくるように変形させて簡単にメモリカード２０を取り出せる。
【００３５】
さらに、メモリカード収納ケース１７は、平面部３２ａ，３４ａと縁部３６，３８の傾斜した内壁との間にメモリカード２０をガタツキのない状態に挟持するので、メモリカード収納ケース１７自体が振動したとしてもカード載置部３２，３４に装着されたメモリカード２０が暴れることが無い。よって、本発明のメモリカード収納ケース１７によれば、メモリカード２０を安全に収容して運搬することができる。
【００３６】
次に、上記のように構成されたメモリカード収納ケース１７にメモリカード２０を収納させてメモリカード収納ケース１７を折り畳んだ状態について説明する。
図７（Ａ）〜（Ｄ）は折り畳まれたメモリカード収納ケース１７の平面図、右側面図、左側面図、Ｄ−Ｄ断面図である。また、図８はＤ−Ｄ断面を拡大して示す縦断面図である。
【００３７】
図７（Ａ）〜（Ｄ）及び図８に示されるように、メモリカード収納ケース１７のカード載置部３２，３４には、カード状のメモリカード２０がアクセス部２２を平面部３２ａ，３４ａに対向させる向きで載置される。このようにしてメモリカード２０がカード載置部３２，３４に装着されると、メモリカード２０は、その周縁部がカード載置部３２，３４の縁部３６，３８の傾斜内壁に当接して保持される。
【００３８】
そして、メモリカード収納ケース１７のカバー部２４，２６間に形成されたヒンジ２８をＵ字状に湾曲させてカバー部２４と２６とを対向させる。この状態で、カード載置部３２，３４の縁部３６，３８に設けられた係止突部４４ａ〜４４ｄを係止孔４６ａ〜４６ｄに嵌合させて相互に係止させる。
このとき、カード載置部３２，３４に保持されたメモリカード２０は、互いに離間しており、接触しない状態で保持されている。また、メモリカード２０のアクセス部２２は、収納時に損傷しないように平面部３２ａ，３４ａに対向して保護される。
【００３９】
このようにメモリカード収納ケース１７は、カバー部２４と２６とが折り畳まれた状態で係止されると、前述したように記録再生装置１０のカード状記憶媒体収納部１８に挿入される。その際、メモリカード収納ケース１７は、両側が挿入ガイド部１８ａにガイドされてスムーズにカード状記憶媒体収納部１８内に挿入され、且つ係止突部４８ａ，４８ｂが筐体１２のケース係止孔１８ｃに嵌合させられると、カード状記憶媒体収納部１８に収納された状態で係止される。
【００４０】
また、カード状記憶媒体収納部１８に収納されたメモリカード２０を取り出す際は、先ず、筐体１２の右側面に設けられた半円形状の凹部１８ｄに爪またはクリップ等を差し込んでメモリカード収納ケース１７の把手４８を引出し方向に押圧する。これにより、把手４８に設けられた係止突部４８ａ，４８ｂが筐体１２のケース係止孔１８ｃから離間すると、把手４８を容易に引き出すことができる。
【００４１】
その後は、メモリカード収納ケース１７のカバー部２６の端部に設けられた円弧状凹部２６ａに爪またはクリップ等を引っ掛けてカバー部２４，２６を互いに離間させる方向にこじ開ける。そして、係止突部４４ａ〜４４ｄと係止孔４６ａ〜４６ｄとの係止が解除されると、図５に示されるようにカバー部２４，２６が展開した状態に開く。
【００４２】
これで、カード載置部３２，３４に保持されたメモリカード２０は、カード載置部３２，３４に設けられた開口３２ｂ，３４ｂから押し出すと共に、メモリカード２０を保持している縁部３６，３８をめくるように変形させると、簡単に取り出せる。
尚、上記実施の形態では、２枚のメモリカード２０がメモリカード収納ケース１７に収納される構成を一例として挙げたが、これに限らず、２枚以上のメモリカード２０が収納される構成としても良いのは勿論である。
【００４３】
また、上記実施の形態では、メモリカード収納ケース１７が一対のカバー部２４，２６か対向させるように折り曲げる構成を一例として挙げたが、これに限らず、他の構成で複数のメモリカード２０を収納できるようにしても良いのは言うまでもない。
【００４４】
【発明の効果】
上述の如く、請求項１記載の発明によれば、カード状記憶媒体が装着される第１の記憶媒体装着部とディスク状記憶媒体が装着される第２の記憶媒体装着部とカード状記憶媒体収納部とが一体的に設けられているので、パーソナルコンピュータに接続されるケーブル数を削減できると共に、操作性を改善することができる。さらに、カード状記憶媒体を収納することが可能であるので、カード状記憶媒体の紛失も防止できる。また、カード状記憶媒体収納部及び第１の記憶媒体装着部が第２の記憶媒体装着部に対し立体的な配置に設けられているので、コンパクトな構成になっている。
【００４５】
また、請求項２記載の発明によれば、カード状記憶媒体が挿入された記憶媒体収納ケースがカード状記憶媒体収納部に収納される構成であるので、カード状記憶媒体が破損しないように安全に収納できる。
【００４６】
また、請求項３記載の発明によれば、第１の載置部、第２の載置部、ヒンジ、係止部が合成樹脂材により一体成形されているので、部品点数が削減されてコストを安価に抑えることができる。
また、請求項４記載の発明によれば、第１の載置部及び第２の載置部に載置されたカード状記憶媒体のアクセス部が互いに対向しない位置で収納されるため、収納時にアクセス部が損傷することを防止できる。
【００４７】
また、請求項５記載の発明によれば、第１の載置部及び第２の載置部の前記カード状記憶媒体のアクセス部から外れた位置にカード状記憶媒体収納を取り出すための開口を設けたため、アクセス部を傷つけることなくカード状記憶媒体収納を取り出すことができる。
【図面の簡単な説明】
【図１】本発明になる記録再生装置の一実施例を示す図であり、（Ａ）は背面図、（Ｂ）は平面図、（Ｃ）は正面図、（Ｄ）は側面図である。
【図２】メモリカード収納ケースが引き出された状態のカード状記憶媒体収納部１８を示す平面図である。
【図３】メモリカード収納ケースがカード状記憶媒体収納部１８に挿入された収納状態を示す平面図である。
【図４】メモリカード２０の形態を示す図であり、（Ａ）は下面側からみた斜視図、（Ｂ）は上面側からみた斜視図である。
【図５】メモリカード収納ケース１７の展開状態を示す斜視図である。
【図６】メモリカード収納ケース１７の展開状態を示す図であり、（Ａ）は平面図、（Ｂ）は側面図である。
【図７】折り畳まれたメモリカード収納ケース１７を示す図であり、（Ａ）は平面図、（Ｂ）は右側面図、（Ｃ）は左側面図、（Ｄ）はＤ−Ｄ断面図である。
【図８】Ｄ−Ｄ断面を拡大して示す縦断面図である。
【符号の説明】
１０  記録再生装置
１２  筐体
１４  カードリーダ
１６  磁気ディスク装置
１７  メモリカード収納ケース
１８  カード状記憶媒体収納部
２０  メモリカード
２２  アクセス部
２４，２６  カバー部
２８  ヒンジ
３０  係止部
３２，３４  カード載置部
３６，３８  縁部
４０，４２  傾斜部
４４ａ〜４４ｄ  係止突部
４６ａ〜４６ｄ  係止孔
４８  把手
【図１】
0003687440.tif 000002
【図２】
0003687440.tif 000003
【図３】
0003687440.tif 000004
【図４】
0003687440.tif 000005
【図５】
0003687440.tif 000006
【図６】
0003687440.tif 000007
【図７】
0003687440.tif 000008
【図８】
0003687440.tif 000009